(57)【要約】【課題】パッティング動作に際して、ゴルファーの集中力を高めるとともに、パッティング結果についてパッティング動作との関連をより明確に体得可能なゴルフパターヘッドを提供する。【解決手段】一端側にグリップを有するシャフトの他端側に固定されるゴルフパターヘッドであって、ゴルフボールの中心直径に対応する面積以下のフロントフェース面を有する本体部と、前記本体部のフロントフェース表面と並行し、前記フロントフェース表面より後退した端面を有し、前記本体部の上側に位置する重量バランス部を有し、前記重量バランス部の上面側に前記シャフトの他端側が固定されていることを特徴とする。【選択図】    図４Ａ
0003159872.tif 000002
【実用新案登録請求の範囲】
【請求項１】
一端側にグリップを有するシャフトの他端側に固定されるゴルフパターヘッドであって、
ゴルフボールの中心径に対応する面積以下のフロントフェース面を有する本体部と、
前記本体部のフロントフェース表面と並行し、前記フロントフェース表面より後退した端面を有し、前記本体部の上側に位置する重量バランス部を有し、
前記重量バランス部の上面側に前記シャフトの他端側が固定されている、
ことを特徴とするゴルフパターヘッド。
【請求項２】
請求項１において、
前記本体部のフロントフェース面の面積が、１５cm２〜０．７ｃｍ２であることを特徴とするゴルフパターヘッド。
【考案の詳細な説明】
【技術分野】
【０００１】
本考案は、ゴルフパターヘッドに関する。
【背景技術】
【０００２】
ゴルフに使用するパターのヘッド構造に関して、これまで種々の改良がなされ、種々の構造が提案されている。
【０００３】
ゴルフパターに求められる性能として、ボールの進行方向の制御とボールの走行距離感が容易に得られ易いことである。
【０００４】
かかる性能を得るために、一般的なパターヘッドの構造として、図１Ａ、図１Ｂに示すような形態を有している。
【０００５】
図１Ａ、図１Ｂのそれぞれは、パターヘッドのゴルフボール３側から見た正面図と、側面図を示す。
【０００６】
パターヘッドの本体部１は、ボールの打ちだし（パッティング）の際、ゴルフボール３と当接するフロントフェース面（図１Ｂ，１Ｃ参照）を有している。
【０００７】
パターヘッドの本体部１には、所定長さのシャフト２が接続され、図示しないシャフト２の上部先端側にグリップ部を有している。
【０００８】
図１Ａにおいて、パターヘッドの本体部１は、ゴルファーの立つ位置と反対側のトウ１Ａ、ゴルファー側のヒール１Ｂが定義され、トウ１Ａからヒール１Ｂに渉る横方向の幅Ｗと、トップ１Ｄからソール１Ｅに渉る高さＨを有している。
【０００９】
さらに、フロントフェース面１Ｃと反対側に、所定の厚みを有している。
【００１０】
そして、パターヘッドの本体部１は、真鍮、鉄、ステンレス等の金属材料で成形されている。
【００１１】
このようなパターヘッドに関し、これまでは主にゴルフボールの転がり方向と移動距離の正確性の観点から改良が進められてきた。すなわち、パッティング動作の際に、スムースなバックスイングを可能とし、インパクト時のスムースなゴルフボールに対する好ましい回転を与えるためのソールの形状、角度、フロントフェース面の形状等において種々の提案がなされてきた（例えば、特許文献１、２）。
【先行技術文献】
【特許文献】
【００１２】
【特許文献１】特開２００３-２７５３５２号公報
【特許文献２】登録実用新案第３０３５９２４号公報
【考案の概要】
【考案が解決しようとする課題】
【００１３】
ここで、上記のように、これまでは専らゴルフボールの転がり方向と移動距離の正確性の観点から改良が進めされてきたが、改良されたパターヘッドであっても、当該パターヘッドの特性を活かしたパッティングを行わなければ、転がり方向と移動距離の正確性を得ることが出来ないものである。
【００１４】
一方、アマチュアゴルファーにとって、かかるパターヘッドの特性を体得して、特性に合ったパッティング動作を常に行うことは容易ではない。すなわち、好ましいパッティングが行われた場合であっても、好ましくないパッティング結果であったとしても、どのようにパターヘッドの特性との関係で、そのようなパッティング結果が得られたのかを認識、あるいは体得することは容易ではない。
【００１５】
これにより、パッティング動作が安定せず、パッティングによるスコアアップの貢献が少なくなるという問題があった。
【００１６】
したがって、本考案の目的は、パッティング動作に際して、ゴルファーの集中力を高めるとともに、パッティング結果についてパッティング動作との関連をより明確に体得可能なゴルフパターヘッドを提供することにある。
【課題を解決するための手段】
【００１７】
上記の目的を達成する本考案に従うゴルフパターヘッドは、
一端側にグリップを有するシャフトの他端側に固定されるゴルフパターヘッドであって、
ゴルフボールの中心直径に対応する面積以下のフロントフェース面を有する本体部と、
前記本体部のフロントフェース表面と並行し、前記フロントフェース表面より後退した端面を有し、前記本体部の上側に位置する重量バランス部を有し、
前記重量バランス部の上面側に前記シャフトの他端側が固定されている、
ことを特徴とする。
【００１８】
さらに、上記の目的を達成する本考案に従うゴルフパターヘッドの態様として、前記本体部のフロントフェース面の面積が、１５cm２〜０．７ｃｍ２であることを特徴とする。
【考案の効果】
【００１９】
上記の本考案の特徴構成により、パッティング動作の際にゴルファーの集中力を必然的に高めるとともに、パッティング結果についてパッティング動作との関連をより明確に体得可能であるので、ゴルファーのパッティング技術を的確に向上させることが可能である。
【図面の簡単な説明】
【００２０】
【図１Ａ】一般的なパターヘッドのゴルフボール側から見た正面図である。
【図１Ｂ】図１Ａに対応する一般的なパターヘッドの側面図である。
【図２Ａ】本考案に従う一実施例パターヘッドのゴルフボール側から見た正面図である。
【図２Ｂ】図２Ａに対応する本考案に従う一実施例のパターヘッドの側面図である。
【図３Ａ】本考案に従う他の実施例パターヘッドのゴルフボール側から見た正面図である。
【図３Ｂ】図３Ａに対応する本考案に従う他の実施例のパターヘッドの側面図である。
【図４Ａ】本考案に従う一実施例パターヘッドのゴルフボール側から見た斜視図である。
【図４Ｂ】図４Ａに対応する実施例パターヘッドのゴルフボールと反対側から見た斜視図である。
【図５】図４Ａに対応する実施例側面図である。
【考案を実施するための形態】
【００２１】
以下に図面に従い、本考案の実施例を説明する。なお、実施例は、本考案の理解のためのものであり、本考案の保護の範囲が実施例に限定されるものではない。
【００２２】
図２Ａは、本考案に従う一実施例パターヘッドのゴルフボール側から見た正面図であり、図２Ｂは、図２Ａに対応する本考案に従う一実施例のパターヘッドの側面図である。
【００２３】
図２Ａ，図２Ｂにおいて、パターヘッドは、本体部１１と、その上部側に設けられる重量バランス部１０と、これらを接続するリンク部１２から構成される。
【００２４】
本体部１１と重量バランス部１０とは、用いられるヘッドの材料により、スポット溶接１３等により接続される。
【００２５】
重量バランス部１０の上面側に、適宜の長さのシャフト２の一端が接続されてゴルフパターとなる。
【００２６】
本考案の特徴として、本体部１１の、ゴルフボール３に当接するフロントフェース面が、ゴルフボールの中央部断面の直径に対応する面積と等しいか、それ以下例えば、パチンコ球の断面の直径に対応する面積であることを特徴とする。したがって、好ましくは、１５cm２〜０．７cm２のフロントフェース面の面積を有する。
【００２７】
次の表は、本考案と比較のために、市販されているゴルフパターのおおよその仕様寸法を纏めたものである。
【００２８】
【表１】
0003159872.tif 000003
【００２９】
上記表において、ヘッド寸法は、幅＊高さ＊調整係数で求められ、調整係数は、トウ及びヒール部が丸みを有していることを考慮した係数値である。
【００３０】
上記表から求められる、一般的なパターヘッドのフロントフェース面積の平均値は、25.8 cm２を有している。
【００３１】
これに対して、本考案は、ゴルフボールの中央部の平均的直径の大きさを４cmとする時の当該ゴルフボールの中央直径の大きさからパチンコ鋼球の中央直径の大きさに略対応する範囲の面積１５cm２〜０．７cm２を、本体部１１のフロントフェース面積とする。
【００３２】
かかる本考案における本体部１１の面積は、上記表に示す一般的なパターのヘッドの平均的なフロントフェース面積25.8 cm２に対して小さく設定されていることに特徴を有する。
【００３３】
このように、パターヘッドの本体部１１のフロントフェース面積を小さく設定することにより、ゴルファーは、パッティングの際にゴールの打ち出し方向及び、打ち出し速度により集中力を高めることが要求される。
【００３４】
これにより、ゴルファーは、パッティング結果と自身の行ったパッティング動作の関連をより明確に把握することができ、パッティング動作の改善に繋げることが容易となる。
【００３５】
ここで、図２Ａ、図２Ｂに示す実施例では、本体部１１の形状として、略砲弾型の形状を成している。  しかし、本考案は、かかる形状に限定されるものではない。
【００３６】
図３Ａ、図３Ｂは、他の実施例のパターヘッドの形態を示す図である。この実施例では、図２Ａ、図２Ｂに示す実施例におけるリンク部１２と一体に本体部１１を形成したものである。
【００３７】
すなわち、本体部１１は、第１の実施例よりも厚みを持った部材を用い、フロントフェース面に対する裏面側で重量バランス部１０に接続される構成である。
【００３８】
さらに、本考案において、上記実施例では本体部１１のフロントフェース面の形状を円形を有するように示しているが、かかる形状に限定されない。すなわち、上記した小さなフロントフェース面積を有する要件を満たせば、任意の多角形の形状を用いることが可能である。
【００３９】
ここで、ゴルフパターとして、バックスイング時のスムースなスイングの流れと、インパクト時の衝撃を吸収するために、パターヘッドは相応の重量を有していることが望ましい。
【００４０】
このために、上記表から平均的なパターヘッドの重量は、２９０ｇであることが求められる。
【００４１】
上記したように、本考案のパターヘッドは、従来パターヘッドよりも小さなフロントフェース面積であり、従って本体部１１の大きさは、必然的に小さく、その重量も小さくなる。
【００４２】
かかる場合、本体部１１のみでは、ゴルフパターとして、バックスイング時のスムースなスイングの流れと、インパクト時の衝撃を吸収することができない。
【００４３】
このために、本考案は、本体部１１の上部に重量バランス部１０を有している。本体部１１の重量を基準に、平均的なパターヘッドの重量、例えば２９０ｇ程度となるように、重量バランス１０の重量が選択設定される。
【００４４】
さらに、かかる選択設定された重量を有する重量バランス１０は、対応する重量となるように、形状が工夫される。
【００４５】
例えば、本体部１１を真鍮で作成する場合、それより比重の大きいステンレス鋼を用いて形成することが好ましい。
【００４６】
図４Ａ、図４Ｂ及び図５は、実施例として、重量バランス１０を、具体的形状としてトンボの形状に形成して作成されたパターヘッドの形態を示す図である。
【００４７】
図４Ａは、本考案に従う一実施例パターヘッドのゴルフボール側から見た斜視図である。さらに、図４Ｂは、図４Ａに対応する実施例パターヘッドのゴルフボールと反対側から見た斜視図である。さらに、図５は、図４Ａに対応する実施例側面図である。
【００４８】
図４Ａに示すように、円形のフロントフェース面を有する本体部１１の上部に、図４Ａ，図４Ｂ、図４Ｃに示すように、前記フロントフェース面より後退した端面を有する重量バランス部１０を備えている。
【００４９】
図４Ａ、図４Ｂ及び図５に示す実施例では、重量バランス１０の平面形態をトンボに模しているが、本考案は、かかる形態に限られない。
【００５０】
左右にバランスを保つ形態、例えば羽を広げた状態の蝶、鳥類あるいは、飛行機等の飛翔体を模した平面パターンを用いてもよい。平面パターンは、レーザ加工機を用いて例えばステンレス板等から容易に切り出すことが可能である。
【００５１】
このように種々のパターンを重量バランス部１０に用いることにより、ゴルファーの嗜好にあったゴルフパターを提供することが可能である。
【産業上の利用可能性】
【００５２】
上記したように、本考案は本体部と重量バランス部を主構成要素として真鍮、鉄、ステンレス等の任意の材料で容易に作成が可能であるので、多くのアマチュアゴルファーに広く提供が可能であり、よって本考案は、産業上寄与するところ大である。
【符号の説明】
【００５３】
１，１１  パターヘッドの本体部
２  シャフト
３  ゴルフボール
１Ａ  トウ部
１Ｂ  ヒール部
１０  重量バランス部
１２  リンク部
１３  溶接部
【図１Ａ】
0003159872.tif 000004
【図１Ｂ】
0003159872.tif 000005
【図２Ａ】
0003159872.tif 000006
【図２Ｂ】
0003159872.tif 000007
【図３Ａ】
0003159872.tif 000008
【図３Ｂ】
0003159872.tif 000009
【図４Ａ】
0003159872.tif 000010
【図４Ｂ】
0003159872.tif 000011
【図５】
0003159872.tif 000012